(57)【要約】【課題】本発明は、非常に実用的なメタン発酵好適物の移送方法を提供することを目的とする。【解決手段】メタン発酵好適物Ｅを製造する製造施設50で製造された該メタン発酵好適物Ｅをメタン発酵させる処理施設51へ移送する方法であって、前記製造施設50において可燃ゴミＡから流動性を有するメタン発酵好適物Ｅを製造し、このメタン発酵好適物Ｅを収納する吸引ポンプ付き密閉タンク40ａを備えた搬送車40若しくは搬送ポンプ41ａを備えた移送配管部41により、前記製造施設50から前記処理施設51へ移送するメタン発酵好適物の移送方法である。【選択図】図１
2019000827.tif 000002
【特許請求の範囲】
【請求項１】
メタン発酵好適物を製造する製造施設で製造された該メタン発酵好適物をメタン発酵させる処理施設へ移送する方法であって、前記製造施設において可燃ゴミから下記の流動性を有するメタン発酵好適物を製造し、このメタン発酵好適物を収納する吸引ポンプ付き密閉タンクを備えた搬送車若しくは搬送ポンプを備えた移送配管部により、前記製造施設から前記処理施設へ移送することを特徴とするメタン発酵好適物の移送方法。
記
水分率が７０重量％以上で径が２５ｍｍ以下であるメタン発酵好適物。
【請求項２】
請求項１記載のメタン発酵好適物の移送方法において、前記搬送車はバキュームカーであることを特徴とするメタン発酵好適物の移送方法。
【請求項３】
請求項１，２いずれか１項に記載のメタン発酵好適物の移送方法において、前記製造施設はゴミ焼却施設であることを特徴とするメタン発酵好適物の移送方法。
【請求項４】
請求項１〜３いずれか１項に記載のメタン発酵好適物の移送方法において、前記処理施設は下水処理施設であることを特徴とするメタン発酵好適物の移送方法。
【発明の詳細な説明】
【技術分野】
【０００１】
本発明は、メタン発酵好適物の移送方法に関するものである。
【背景技術】
【０００２】
現在、袋詰め可燃ゴミ（都市ゴミ）のエネルギー利用は、袋詰め可燃ゴミを焼却炉で焼却処理し、この燃焼で発生する熱を利用したゴミ焼却発電が主流であるが、近年、袋詰め可燃ゴミ中の有機ゴミを発酵させて得たバイオガス（メタン）を内燃機関、外燃機関や燃料電池の燃料として発電するバイオガス発電が注目されている。このバイオガス発電における袋詰め可燃ゴミのエネルギー利用は、焼却処理するゴミを減らし大型設備である焼却炉の数や負担を低減することができるため有用である。
【０００３】
ところで、この袋詰め可燃ゴミからメタンを取り出すメタン発酵装置は、有機物を嫌気性環境下において微生物により分解（メタン発酵）させてメタンガスを発生させるものであり、特にメタン発酵に関与しない無機物は残渣として排出されるが、当然のことながら、このメタン発酵に関与しないメタン発酵不適物が多いほど残渣が増え、よって、この残渣を処理する手間とコストが余計にかかることから、如何に袋詰め可燃ゴミからメタン発酵に適したメタン発酵好適物を取得するかが重要となる。
【０００４】
そこで、本出願人は、可燃ゴミからメタン発酵好適物を得るための装置（厨芥類や紙などのメタン発酵に適したゴミと、ビニールや布などの焼却処理に適したゴミとを選別する選別装置）として、特願２０１７−１１８９０８号に開示されるメタン発酵好適物の製造装置を提案している。
【０００５】
この装置であれば有機物濃度が高くメタン発酵処理後の残渣量の少ないメタン発酵好適物が簡易且つ確実に得られることになる。
【先行技術文献】
【特許文献】
【０００６】
【特許文献１】特願２０１７−１１８９０８号公報
【発明の概要】
【発明が解決しようとする課題】
【０００７】
ところで、メタン発酵好適物は可燃ゴミが集められるゴミ焼却場で製造され、一方、このメタン発酵好適物は別の施設（例えば下水処理場）でメタン発酵処理されるのが一般的であるが、従来から、このメタン発酵好適物を製造施設から処理施設へ良好に移送する方法が望まれている。
【０００８】
本発明は、前述したメタン発酵好適物の製造装置で製造されるメタン発酵好適物が高い流動性を有する点に鑑み、製造施設で製造されたメタン発酵好適物を処理施設へ移送する方法として非常に実用的なメタン発酵好適物の移送方法を提供する。
【課題を解決するための手段】
【０００９】
添付図面を参照して本発明の要旨を説明する。
【００１０】
メタン発酵好適物Ｅを製造する製造施設50で製造された該メタン発酵好適物Ｅをメタン発酵させる処理施設51へ移送する方法であって、前記製造施設50において可燃ゴミＡから下記の流動性を有するメタン発酵好適物Ｅを製造し、このメタン発酵好適物Ｅを収納する吸引ポンプ付き密閉タンク40ａを備えた搬送車40若しくは搬送ポンプ41ａを備えた移送配管部41により、前記製造施設50から前記処理施設51へ移送することを特徴とするメタン発酵好適物の移送方法に係るものである。                                            
記
水分率が７０重量％以上で径が２５ｍｍ以下であるメタン発酵好適物Ｅ。
【００１１】
また、請求項１記載のメタン発酵好適物の移送方法において、前記搬送車40はバキュームカーであることを特徴とするメタン発酵好適物の移送方法に係るものである。
【００１２】
また、請求項１，２いずれか１項に記載のメタン発酵好適物の移送方法において、前記製造施設50はゴミ焼却施設であることを特徴とするメタン発酵好適物の移送方法に係るものである。
【００１３】
また、請求項１〜３いずれか１項に記載のメタン発酵好適物の移送方法において、前記処理施設51は下水処理施設であることを特徴とするメタン発酵好適物の移送方法に係るものである。
【発明の効果】
【００１４】
本発明は上述のようにしたから、良好な発酵が行われるメタン発酵好適物が高い流動性を有する利点を利用して、メタン発酵好適物を製造施設から処理施設へ良好に移送することができるなど、従来にない作用効果を発揮するメタン発酵好適物の移送方法となる。
【図面の簡単な説明】
【００１５】
【図１】本実施例に係るメタン発酵好適物の移送方法の説明図である。
【図２】本実施例に係るメタン発酵好適物の移送方法の説明図である。
【図３】本実施例に係る要部の動作説明図である。
【図４】本実施例の要部の動作説明図である。
【図５】本実施例の要部の動作説明図である。
【図６】本実施例の要部の説明図である。
【図７】本実施例の要部の説明図である。
【図８】本実施例の要部の動作説明図である。
【図９】本実施例の要部の動作説明図である。
【図１０】本実施例に係るメタン発酵好適物の組成を示す円グラフである。
【図１１】本実施例に係るメタン発酵好適物の組成を示す円グラフである。
【発明を実施するための形態】
【００１６】
好適と考える本発明の実施形態を、図面に基づいて本発明の作用を示して簡単に説明する。
【００１７】
本発明は、メタン発酵好適物Ｅの製造施設50において可燃ゴミＡから流動性を有するメタン発酵好適物Ｅを製造し、このメタン発酵好適物Ｅを収納する吸引ポンプ付き密閉タンク40ａを備えた搬送車40若しくは搬送ポンプ41ａを備えた移送配管部41により、前記製造施設50から前記処理施設51へ流動移送する。
【００１８】
製造施設50で製造されるメタン発酵好適物Ｅは高い流動性を有するから、吸引ポンプ付き密閉タンク40ａを備えた搬送車40若しくは搬送ポンプ41ａを備えた移送配管部41により、効率良く且つ確実に製造施設50から処理施設51へ移送することができ、しかも、メタン発酵好適物Ｅを搬送する際の臭気を可及的に軽減することができる。
【実施例】
【００１９】
本発明の具体的な実施例について図面に基づいて説明する。
【００２０】
本実施例は、メタン発酵好適物Ｅを製造する製造施設50で製造された該メタン発酵好適物Ｅをメタン発酵させる処理施設51へ移送する方法である。
【００２１】
本実施例では、図１，２に図示したように製造施設50はゴミ焼却施設であり、処理施設51は下水処理施設であるが、いずれもその他の施設であっても或いは専用の施設であっても良い。
【００２２】
製造施設50には、以下のメタン発酵好適物Ｅの製造装置が設置されている。
【００２３】
具体的には、袋詰め可燃ゴミＡからメタン発酵好適物Ｅを製造する装置であって、袋詰め可燃ゴミＡを破袋する破袋部１と、この破袋処理された破袋処理済みゴミＢを乾式選別手段により粒度差選別する第一選別部２と、この第一選別部２で選別された粒度差選別処理済みゴミＣを湿式選別手段により比重差選別する第二選別部３とを備えたものである。
【００２４】
尚、袋詰め可燃ゴミＡとは、ビニール袋に詰めて廃棄される可燃性を有するゴミ（都市ゴミ）である。
【００２５】
以下、本実施例に係る構成各部について詳細な説明をする。
【００２６】
破袋部１は、図３，４に図示したように上部にホッパー13ａを備えた破袋本体13内に、周面に刃部14ａ’，14ｂ’を有する一対の回転軸体14ａ，14ｂを水平対向位置に間隔を介して架設状態に設けた構造（所謂二軸破袋構造）である。
【００２７】
また、破袋本体13の下部は開口状態に設けられ、刃部14ａ’，14ｂ’によって破袋された破袋処理済みゴミＢのゴミ排出部13ｂとして構成されている。
【００２８】
従って、ホッパー13ａから投入された袋詰め可燃ゴミＡは、回転軸体14ａ，14ｂ同士の間を通過しつつ破袋され、この破袋された破袋処理済みゴミＢは、ゴミ排出部13ｂから排出される。
【００２９】
また、本実施例では、ゴミ排出部13ｂの下部にベルトコンベアが設けられ、第一選別部２へ破袋処理済みゴミＢを搬送する第一搬送部15として構成されている。
【００３０】
第一選別部２は、図３，５に図示したように左右壁部16ａと底壁部16ｂとから成る第一選別本体16の左右壁部16ａに、複数本のローラー体４を所定の隙間Ｓを介して回転自在に並設して成るローラー搬送部５を有するものであり、各ローラー体４は同一方向（搬送方向）に回転するように構成されている。
【００３１】
この各ローラー体４の周面には、該ローラー体４の長さ方向に所定の間隔Ｔを介して突起部17が並設されており、この各突起部17はローラー体４に略三角形状の板材を被嵌して設けられている。
【００３２】
従って、ローラー体４の回転により上部に載置されたものは突起部17との摩擦によって搬送される。
【００３３】
また、ローラー搬送部５には、図６に図示したように隣接するローラー体４同士の隙間Ｓと、この各ローラー体４に設けられる突起部17同士の間隔Ｔとから成る升目状のふるい穴２ａが多数設けられており、このふるい穴２ａの目幅は、隙間Ｓ（縦長）及び間隔Ｔ（横長）ともに５０〜１５０ｍｍの間で設定される。
【００３４】
また、第一選別本体16の底壁部16ｂは、テーパー状に設けられており、この底壁部16ｂの最下部は開口状態に設けられ、ローラー搬送部５のふるい穴２ａを通過した通過落下ゴミＣ１のゴミ排出部16ｂ’として構成されている。
【００３５】
従って、ローラー搬送部５で搬送される破袋処理済みゴミＢのうち、ふるい穴２ａを通過した通過落下ゴミＣ１はゴミ排出部16ｂ’から排出される。
【００３６】
また、第一選別本体16は、図５に図示したように設置架台18上に設けられており、長さ方向（搬送方向）の一端部（ローラー搬送部５の搬送方向上流側）は、設置架台18上に上下擺動自在に枢着され、他端部（ローラー搬送部５の搬送方向下流側）は、設置架台18上に設けられた昇降部19に連結されている。
【００３７】
この昇降部19は、設置架台18に擺動自在に立設されるネジ棒19ａと、このネジ棒19ａに被嵌されナット19ｂ’の螺動により上下移動する移動筒19ｂとで構成され、この移動筒19ｂに第一選別本体16の他端部は枢着されている。
【００３８】
従って、第一選別本体16は、昇降部19の作動により設置架台18に対して傾動自在となり、よって、ローラー搬送部５は、搬送方向下流側が上方位置となるように所定角度に上り傾斜状態となる。本実施例では、ローラー搬送部５の傾斜角度は５〜３０度の間で設定される。
【００３９】
以上から、第一選別部２において、ローラー搬送部５に破袋処理済みゴミＢを導入すると、回転するローラー体４同士の隙間Ｓ（ふるい穴２ａ）を通過落下する通過落下ゴミＣ１と、ローラー体４同士の隙間Ｓ（ふるい穴２ａ）を通過落下せず、ローラー搬送部５の傾斜下端部から該ローラー搬送部５外に傾斜落下する傾斜落下ゴミＣ２と、前記ローラー体４同士の隙間Ｓ（ふるい穴２ａ）を通過落下せず、ローラー搬送部５の傾斜上端部から該ローラー搬送部５外に乗り越える傾斜乗り越えゴミＤとに選別される。つまり、第一選別部２により破袋処理済みゴミＢは乾式選別手段により粒度差選別される。
【００４０】
また、本実施例では、ゴミ排出部16ｂ’の下部にベルトコンベアが設けられ、第二選別部３へ粒度差選別処理済みゴミＣ（通過落下ゴミＣ１）を搬送する第二搬送部20として構成されている。尚、図３では第二搬送部20を通過落下ゴミＣ１のみを粒度差選別処理済みゴミＣとして第二選別部３へ搬送しているように図示しているが、通過落下ゴミＣ１及び傾斜落下ゴミＣ２の双方を粒度差選別処理済みゴミＣとして第二選別部３へ搬送することも可能である。これは、傾斜落下ゴミＣ２もメタン発酵好適物Ｅとなる物質を多く含む場合があるからである。
【００４１】
第二選別部３は、上部一端側にホッパー21ａを備えた選別本体21に、スクリーン選別部９と、このスクリーン選別部９に導入された粒度差選別処理済みゴミＣに加水する加水部10と、スクリーン選別部９の下方位置に設けられる第一排出部11と、スクリーン選別部９の上方位置に設けられる第二排出部12とを有する構造である。
【００４２】
具体的には、スクリーン選別部９は、図７，８，９に図示したように周面に複数の破砕凸部６が設けられた軸状回転体７の周面対向位置に、多数の選別孔８ａが設けられた円弧板状のスクリーン体８が添設されたものである。
【００４３】
この軸状回転体７は駆動源24の作動により回転し、その回転速度は、１００〜６００ｒｐｍに設定される。望ましくはこの回転速度は３００〜５００ｒｐｍである。
【００４４】
また、各破砕凸部６は、基端部が軸状回転体７に枢着されており、軸状回転体７の回転に伴う遠心力で放射方向に突出状態となるスイングハンマー構造であり、スクリーン体８と共に先端部でゴミを破砕するように構成されている。
【００４５】
また、各破砕凸部６は、軸状回転体７の長さ方向に並設され、この軸状回転体７の長さ方向に隣接する破砕凸部６同士が９０度ずれた位置となるよう螺旋状に配置されており、ホッパー21ａから導入されたゴミが破砕本体21内を一端側から他端側へ送られるように構成されている。
【００４６】
また、軸状回転体７の他端部には、該軸状回転体７の長さ方向に巻き上げ破砕凸部６’が並設されている。
【００４７】
この巻き上げ破砕凸部６’は、回転方向へ向けて突湾曲形状に設けられており、また、螺旋状に配されず軸状回転体７の長さ方向に直線状に配されており、破砕本体21の他端側へ送られてきたゴミを破砕するだけでなく、上方（後述する第二排出部12）へ巻き上げるように構成されている。
【００４８】
スクリーン体８は、複数の円弧形状の板材を組み合わせて構成された円筒状体であり、軸状回転体７に被嵌状態に設けられている。
【００４９】
また、スクリーン体８に設けられる多数の選別孔８ａは円形状であり、本実施例ではこの選別孔８ａの径は１０〜２５ｍｍに設定されている。
【００５０】
また、軸状回転体７の回転時におけるスクリーン体８表面と破砕凸部６先端との間隔は５〜２０ｍｍに設定される。望ましくはこの間隔は１０ｍｍ〜１５ｍｍである。
【００５１】
加水部10は、図８に図示したようにホッパー21ａの下方部位に図示省略の水移送部（水源及び移送ホース）が接続されるノズルを設けて構成されている。
【００５２】
この加水部10からの水の噴射量は適宜制御され、この加水は投入するゴミ重量あたり０〜１００％の範囲であり、本実施例では、加水部10における加水率は、粒度差選別処理済みゴミＣ重量あたり１０〜５０％に設定されている。尚、この加水は、粒度差選別処理済みゴミＣに水を含ませることで破砕し易くする他、軸状回転体７（駆動源24）にかかる負荷を低減することにも貢献する。
【００５３】
第一排出部11は、図７，８，９に図示したように破砕本体21の下部を開口状態に設けて構成されており、スクリーン選別部９によって破砕選別された選別孔通過ゴミＥのゴミ排出部として構成されている。
【００５４】
従って、ホッパー21ａから投入された粒度差選別処理済みゴミＣのうち、破砕凸部６で破砕され且つ加水部10で加水されて重量物となり、スクリーン体８の選別孔８ａを通過した選別孔通過ゴミＥは、第一排出部11から排出される。
【００５５】
本実施例では、破砕本体21の下部に回収容体22が移動自在に設けられ、第一排出部11から排出される選別孔通過ゴミＥを受けるように構成されている。
【００５６】
第二排出部12は、図７，９に図示したように破砕本体21の上部他端側にスクリーン選別部９の上部に連通する筒状体23を横設し、この筒状体23内に周面に搬送羽根23ａ’が螺旋状に設けられた搬送軸状体23ａを設けて構成されている。
【００５７】
従って、ホッパー21ａから投入された粒度差選別処理済みゴミＣのうち、破砕凸部６で破砕されずに且つ加水部10で加水されも重量物とならず、スクリーン体８の選別孔８ａを通過しない選別孔不通過ゴミＦは、巻き上げ破砕凸部６’で巻き上げられて筒状体23へ送られ、この搬送軸状体23ａで搬送されて先端から排出される。
【００５８】
以上から、第二選別部３において、スクリーン選別部９に粒度差選別処理済みゴミＣを加水部10で加水しつつ導入すると、軸状回転体７の回転に伴い、破砕凸部６及び巻き上げ破砕凸部６’で破砕されスクリーン体８の選別孔８ａを通過して第一排出部11から排出される選別孔通過ゴミＥと、破砕凸部６及び巻き上げ破砕凸部６’で破砕されずスクリーン体８の選別孔８ａを通過できず巻き上げられて第二排出部12から排出される選別孔不通過ゴミＦとに選別される。つまり、第二選別部３により粒度差選別処理済みゴミＣは湿式選別手段により比重差選別される。
【００５９】
符号30は袋詰め可燃ゴミＡを収集するゴミ収集車である。
【００６０】
以上の構成から成るメタン発酵好適物Ｅの製造装置を使用したメタン発酵好適物Ｅの製造工程について説明する。
【００６１】
先ず、ゴミ収集車30により集められた袋詰め可燃ゴミＡを破袋部１で破袋する。
【００６２】
続いて、この破袋処理された破袋処理済みゴミＢを第一選別部２で乾式選別手段により粒度差選別する。
【００６３】
具体的には、ローラー搬送部５に破袋処理済みゴミＢを導入すると、回転するローラー体４同士の隙間Ｓを通過落下する通過落下ゴミＣ１と、ローラー体４同士の隙間Ｓを通過落下せず、ローラー搬送部５の傾斜下端部から該ローラー搬送部５外に傾斜落下する傾斜落下ゴミＣ２と、前記ローラー体４同士の隙間Ｓを通過落下せず、ローラー搬送部５の傾斜上端部から該ローラー搬送部５外に乗り越える傾斜乗り越えゴミＤとに選別される。
【００６４】
この通過落下ゴミＣ１は、例えば厨芥類や紙など（小型のゴミ）である。
【００６５】
この傾斜落下ゴミＣ２は、例えば紙やビニールなど（大型で傾斜を乗り越えない重量ゴミ）である。
【００６６】
尚、缶などの不燃物も転がり落ちるが、回収物の性状として容易に磁選機等での除去が可能（吊り下げ式磁選機等で除去時に巻き込みが少ない）であり、さらに厨芥類などの高含水物が減少しているため、熱量が高く燃料化等への利用用途が考えられる。
【００６７】
傾斜乗り越えゴミＤは、例えばビニールや布（衣類）など（大型で傾斜を乗り越える軽量ゴミ）である。
【００６８】
また、傾斜落下ゴミＣ２と同様、通過落下ゴミＣ１として高含水物である厨芥類や紙が優先的に回収されているため、回収物の高含水物が減少し、熱量が高く燃料化等への利用ができる。
【００６９】
以上のように第一選別部２で選別された通過落下ゴミＣ１及び傾斜落下ゴミＣ２の双方は、粒度差選別処理済みゴミＣとして第二選別部３へ送られ、傾斜乗り越えゴミＤは、発酵に適さないゴミとして処理（焼却処理等）される。尚、傾斜落下ゴミＣ２も粒度差選別処理済みゴミＣとして採用したのは厨芥類の回収量増加を優先したためであり、より良好なメタン発酵好適物を得るのであれば通過落下ゴミＣ１だけを粒度差選別処理済みゴミＣとして採用する。
【００７０】
続いて、第一選別部２で選別された粒度差選別処理済みゴミＣ（通過落下ゴミＣ１及び傾斜落下ゴミＣ２）を第二選別部３で湿式選別手段により比重差選別する。
【００７１】
具体的には、スクリーン選別部９に粒度差選別処理済みゴミＣを加水部10で加水しつつ導入すると、軸状回転体７の回転に伴い、破砕凸部６で破砕されスクリーン体８の選別孔８ａを通過して第一排出部11から排出される選別孔通過ゴミＥと、破砕凸部６で破砕されずスクリーン体８の選別孔８ａを通過できず巻き上げられて第二排出部12から排出される選別孔不通過ゴミＦとに選別される。
【００７２】
この選別孔通過ゴミＥは、例えば紙や厨芥類など（水を含むことで破砕され易くなり細かく破砕される重量ゴミ）である。
【００７３】
更に、この選別孔通過ゴミＥについて確認したところ、選別孔通過ゴミＥの固形分中の有機物の割合（有機物比率）が７５〜８５重量％、即ち、固形分量（ＴＳ）は１７．２重量％で、有機物濃度（強熱減量）は１４．６重量％であり、これから算出される有機物比率（ＶＳ／ＴＳ）は８４．９重量％であった。また、水分率が８５重量％以下、最大径が１５〜２５ｍｍであった。
【００７４】
従って、有機物比率が高いことから、メタン発酵処理後において残渣量の少ない、また、流動性の高いメタン発酵好適物Ｅと言える。
【００７５】
選別孔不通過ゴミＦは、例えばビニールなど（水を含まず破砕されにくい軽量ゴミ）である。
【００７６】
以上のように第二選別部３で選別された選別孔通過ゴミＥはメタン発酵好適物Ｅとして利用され、選別孔不通過ゴミＦは発酵に適さないゴミとして処理（焼却処理等）される。
【００７７】
図10，11のグラフは、前述したメタン発酵好適物の製造装置を用いて行なわれた２回の分別試験におけるメタン発酵好適物Ｅ（選別孔通過ゴミ）の組成を表している。
【００７８】
この試験から、メタン発酵好適物Ｅ中の不純物（ビニールや金属や石などの無機物等）の割合が１〜８％と低い為、メタン発酵好適物Ｅの径は小さく詰まりにくいものであるから、ポンプ圧送時の配管内、ポンプ内、下水道施設内での閉塞を起こさせにくく、ポンプ等の圧送機の故障を防ぐこと、施設の維持管理性、保守性を確保可能である。
【００７９】
次に、処理施設51は、図１，２に図示したようにメタン発酵槽51ａや発電機等を備えた既存の処理施設（下水処理施設）である。
【００８０】
また、本実施例では、製造施設50で製造されたメタン発酵好適物Ｅを処理施設51へ移送する手段を設けている。
【００８１】
具体的には、図１は、メタン発酵好適物Ｅを移送する手段として、製造施設50と処理施設51との間を移動する吸引ポンプ付き密閉タンク40ａを備えた搬送車40（バキュームカー）を採用した場合であり、図２は、製造施設50と処理施設51との間に搬送ポンプ41ａを備えた移送配管部41を採用した場合であり、いずれも製造施設50から処理施設51へメタン発酵好適物Ｅを流動移送するように構成されている。
【００８２】
符号40ｂは吸引ポンプから延設されるホースである。
【００８３】
以上の構成から成る本実施例に係る移送手段を使用した移送方法について説明する。
【００８４】
製造施設50にて可燃ゴミから流動性を有するメタン発酵好適物Ｅを製造し、このメタン発酵好適物Ｅを、製造施設50と処理施設51との間を移動する吸引ポンプ付き密閉タンクを備えた搬送車40若しくは製造施設50と処理施設51との間に設けられる搬送ポンプを備えた移送配管部41により製造施設50から処理施設51へ流動移送する（図１，２参照）。
【００８５】
よって、本実施例によれば、製造施設50で製造されるメタン発酵好適物Ｅは高い流動性を有するから、吸引ポンプ付き密閉タンク40ａを備えた搬送車40若しくは搬送ポンプ41ａを備えた移送配管部41により、効率良く且つ確実に製造施設50から処理施設51へ移送することができ、しかも、メタン発酵好適物Ｅを搬送する際の臭気を可及的に軽減することができる。
【００８６】
また、本実施例は、搬送車40はバキュームカーであるから、前述した作用効果を確実に奏することができる。
【００８７】
また、本実施例は、製造施設50はゴミ焼却施設であるから、既存の施設を有効利用することができる。即ち、メタン発酵好適物Ｅの製造過程において生じる焼却処分しなければならない残渣（発酵不適物）を施設内にある焼却炉で処理することができる。
【００８８】
また、本実施例は、処理施設51は下水処理施設であるから、既存の施設を有効利用することができる。即ち、従来、十分な量のメタン発酵好適物Ｅを移送する方法が無く、下水処理施設に設けられるメタン発酵槽には空き容量があったが、本実施例のようにメタン発酵好適物Ｅを良好に移送することが可能になる事で、前述したメタン発酵槽の空き容量分を利用して処理することができる。
【００８９】
また、本実施例は、新規で処理施設51を建設する際、施設規模がある程度ないと建設は難しいが、この点、各地の製造施設50からメタン発酵好適物Ｅを移送することでボリュームを出し、施設の建設が可能となる（スケールメリットが得られる）。
【００９０】
尚、本発明は、本実施例に限られるものではなく、各構成要件の具体的構成は適宜設計し得るものである。
【符号の説明】
【００９１】
Ａ  可燃ゴミ
Ｅ  メタン発酵好適物
40  搬送車
40ａ  密閉タンク
41  移送配管部
41ａ  搬送ポンプ
50  製造施設
51  処理施設
【図１】
2019000827.tif 000003
【図２】
2019000827.tif 000004
【図３】
2019000827.tif 000005
【図４】
2019000827.tif 000006
【図５】
2019000827.tif 000007
【図６】
2019000827.tif 000008
【図７】
2019000827.tif 000009
【図８】
2019000827.tif 000010
【図９】
2019000827.tif 000011
【図１０】
2019000827.tif 000012
【図１１】
2019000827.tif 000013